(57)【特許請求の範囲】
【請求項１】
処置ヘッドを有する微小皮膚剥離処置のための装置であって、
前記処置ヘッドは、内壁を備えた空洞と、前記内壁における開口と、前記処置ヘッドをユーザの皮膚上に置くための処置ヘッド先端と、を持ち、
前記処置ヘッド先端は、第１の剥離面を有し、前記内壁は、第２の剥離面を有し、
前記開口は、前記処置ヘッド先端がユーザの皮膚上に置かれたときに、前記空洞内に減圧をかけるための真空源に接続されるよう構成され、
前記第１の剥離面は、前記第２の剥離面とは異なる粗さを有し、
前記装置は、前記第２の剥離面が、前記空洞に前記減圧がかけられたときにのみ、ユーザの皮膚に接触するよう構成され、
前記空洞は、環状の周囲部を持つ略ドーム状の形状を持ち、前記処置ヘッド先端は、前記環状の周囲部により形成され、前記内壁は、前記ドーム状の形状の内側面により形成された、
装置。
【請求項２】
前記第２の剥離面の粗さは、前記第１の剥離面の粗さよりも大きい、請求項１に記載の装置。
【請求項３】
前記処置ヘッド先端は、前記空洞の第１の側に配置され、前記開口は、前記空洞の反対側に配置され、前記第２の剥離面の粗さは、前記開口に向かって増大する、請求項１又は２に記載の装置。
【請求項４】
前記開口は開口軸を定義し、前記第１の剥離面と前記第２の剥離面とは、前記開口軸のまわりに同軸に配置された、請求項１乃至３のいずれか一項に記載の装置。
【請求項５】
前記第２の剥離面は、前記第１の剥離面よりも、前記開口軸の近くに配置された、請求項４に記載の装置。
【請求項６】
前記処置ヘッド先端と前記空洞とは、単一の一体的な構成要素を形成するよう構成された、請求項１乃至５のいずれか一項に記載の装置。
【請求項７】
前記第２の剥離面は、それぞれが異なる剥離特性を持つ複数の隣接する部分に分割された、請求項１乃至６のいずれか一項に記載の装置。
【請求項８】
前記第２の剥離面は、前記第２の剥離面から突出する鋭いオブジェクトを有する、請求項１乃至７のいずれか一項に記載の装置。
【請求項９】
前記鋭いオブジェクトは、前記面から突出し、５乃至２５μｍの長さを持つ、請求項８に記載の装置。
【請求項１０】
前記開口に接続された真空源を更に有する、請求項１乃至９のいずれか一項に記載の装置。
【請求項１１】
前記空洞内に交番する減圧をかけるよう前記真空源を制御するよう構成されたコントローラを更に有する、請求項１０に記載の装置。
【請求項１２】
前記内壁は柔軟部分を有する、請求項１乃至１１のいずれか一項に記載の装置。
【請求項１３】
前記第２の剥離面は、前記柔軟部分に配置された、請求項１２に記載の装置。
【発明の詳細な説明】
【技術分野】
【０００１】
本発明は、微小皮膚剥離皮膚処置のための装置に関する。
【背景技術】
【０００２】
微小皮膚剥離（microdermabrasion）は、加齢の最初の兆候に対処することにより皮膚を改善するための皮膚処置のための、広く受容された技術である。微小皮膚剥離処置は、滑らかな皮膚、より好適な全体的な外観、及び皮膚の色調を含む、幾つかの皮膚の利益に帰着することが知られている。皮膚の剥離は、肌の木目の平滑化及び改善された光沢に導く。微小皮膚剥離の間に角質層の上端層を除去することにより、皮膚基底層への信号が、生存角化細胞の改善された増殖をもたらし、生存表皮層を厚くすること及び好適な整列をもたらす。剥離はまた、皮膚の障壁機能に対しても効果を及ぼす。角質層の当該障壁機能は、細菌又はその他の物質の侵入及び過剰な水分の蒸発から身体を保護している。微小皮膚剥離は、該障壁機能を一時的に低減させ、トピカル（topical）が皮膚により深く浸透し得るようになり、より効果をもたらすものとなり得る。
【発明の概要】
【発明が解決しようとする課題】
【０００３】
該処置の効果を改善する方法のひとつは、減圧を増大させ、斯くして皮膚との剥離接触面積を増大させることにより、角質層のより多くの層を除去することである。しかしながら、斯かる手法は、赤みや乾燥肌といった、望ましくない皮膚の反応に導き得る。
【０００４】
米国特許出願公開US2008/0249537A1は、皮膚処置器、制御可能な真空源、及び皮膚センサを有する、皮膚再活性化（resurfacing）装置を記載している。
【０００５】
米国特許出願公開US2013/110032A1は、表面を処置するためのシステム及び方法を記載している。本文献によれば、表面を処置するための柔軟な又は適合可能なパッドが、不均一な皮膚の処置に特に適している。装置は、装着部及び複数の処置部分を有する柔軟な面を含んでも良い。該処置部分は、剥離材料を有しても良い。該装置の表面における亀裂又は溝が、第１及び第２の処置部分が、処置面に対してそれぞれ第１及び第２の位置をとることを可能とする。溝の端は、該装置の剥離性能を増大させるように設計されても良く、処置面から材料を除去し得る。他の実施例も記載され請求されている。
【０００６】
微小皮膚剥離装置は一般に、剥離面を備えた処置ヘッドに装着された真空ポンプを有する。該処置ヘッドは、皮膚表面上を動かされ、真空マッサージとともに剥離面により擦り落とされた死滅した皮膚細胞の剥離に帰着する。現在、斯かる微小皮膚剥離装置は一般に、角質層の数枚の層のみを除去し、障壁機能に殆ど影響を与えないままにする。従って、斯かる処置の後、トピカルは依然として皮膚の深い層には浸透できず、従ってトピカルの効果は該処置によっては向上させられない。
【０００７】
米国特許出願公開US2008/0249537A1の皮膚センサを用いると、皮膚のタイプが決定され、真空源により生成される真空が、該検出された皮膚のタイプに応じて適合され、剥離レベルの改善された調節が実現される。調節は真空レベルによってのみ制御され、剥離レベルの微調整は利用可能ではない。
【０００８】
それ故、微小皮膚剥離処置、特に剥離レベルに対するより完全な制御を提供し、処置の効果を改善する、新規な装置に対するニーズがある。
【０００９】
本発明の目的は、特に必要な場所における改善されたトピカルの浸透のような、処置の効果を増大させる、処置工程に対するきめ細かな制御を実現する、微小皮膚剥離装置を提供することにある。
【課題を解決するための手段】
【００１０】
本発明の第１の態様によれば、本目的は、処置ヘッドを有する微小皮膚剥離処置のための装置であって、前記処置ヘッドは、内壁を備えた空洞と、前記内壁における開口と、前記処置ヘッドをユーザの皮膚上に置くための処置ヘッド先端と、を持ち、前記処置ヘッド先端は、第１の剥離面を有し、前記内壁は、第２の剥離面を有し、前記開口は、前記処置ヘッド先端がユーザの皮膚上に置かれたときに、前記空洞内に減圧をかけるための真空源に接続されるよう構成され、前記第１の剥離面は、前記第２の剥離面とは異なる粗さを有する、装置により達成される。
【００１１】
本発明の好適な実施例は、従属請求項において定義される。
【００１２】
本発明は、複数の剥離レベルの適用を単一の処置内で実現するため、それぞれが異なる粗さを持つ複数の剥離面を備えた処置ヘッドを備えることにより、微小皮膚剥離処置を改善するという着想に基づく。このため、前記空洞の内壁は、少なくとも部分的に、剥離粒子によってカバーされ、処置ヘッド先端に配置された更なる剥離面とは異なる粗さを持つ剥離面を形成する。好適には該空洞により囲まれた処置ヘッド先端がユーザの皮膚上に置かれると、該空洞の内壁とユーザの皮膚との間に空間が形成される。
【００１３】
該空間にかけられる減圧は、ユーザの皮膚の一部が、該空洞に引き込まれるようにし、該空洞の内壁に配置された剥離面にさらされるようにする。該装置をユーザの皮膚上で動かすことにより、皮膚が最初に処置ヘッド先端の剥離面の粗さにさらされ、続いて内壁の粗さにさらされ、最後に再び処置ヘッド先端の粗さにさらされる。
【００１４】
斯かる処置は、皮膚が異なる微小皮膚剥離強度にさらされるため、向上された剥離動作をもたらし、剥離レベルに対するきめ細かな制御を実現するよう真空レベルにおける変化を用いることにより更に向上させられ得る。
【００１５】
有利にも、上端皮膚層の低い強度の除去からユーザの皮膚の角質層の剥離を含む高い強度の処置に亘る、複数の剥離レベルが、単一の装置において組み合わせられることができる。更に、複数の剥離レベルは、処置自体を中断することなく、単一の処置内で、皮膚の異なる領域に対して適用されることができる。
【００１６】
従って、該新規な装置は、種々の皮膚タイプ及び処置方法に対してより柔軟に用いられることができ、処置の継続時間がかなり短縮され得る。更に、剥離レベル及び処置自体に対するより好適な制御は、赤み及び脱水といった望ましくない皮膚の反応のリスクを低減させ得る。
【００１７】
本発明の一実施例によれば、前記第２の剥離面の粗さは、前記第１の剥離面の粗さよりも大きい。
【００１８】
この場合には、該空洞内に配置された剥離面の粗さは、処置ヘッド先端に配置された剥離面の粗さよりも大きい。処置ヘッド先端がユーザの皮膚に当てられた後、該空洞に減圧がかけられ、続いて該装置がユーザの皮膚の上を動かされると、皮膚は特定の順序で変化する剥離レベルにさらされる。最初に、皮膚は処置ヘッド先端の低い粗さにさらされ、続いで皮膚は内壁の増大させられた粗さにさらされ、最後に皮膚は処置ヘッド先端の（低い）粗さに再びさらされる。第２の剥離面における剥離粒子は、より大きな粗さを持ち、従って第１の剥離面の剥離粒子よりも皮膚に更に進入し得る。皮膚は最初に穏やかな剥離を感じ、次いでより強い剥離が続き、再び穏やかな剥離が後続する。第２の剥離面の高い粗さの利用は、ユーザが、低減された皮膚の刺激の可能性を伴う、強化された微小皮膚剥離を利用することを可能とする。
【００１９】
本発明の更なる実施例によれば、前記処置ヘッド先端は、前記空洞の第１の側に配置され、前記開口は、前記空洞の反対側に配置され、前記第２の剥離面の粗さは、前記開口に向かって増大する。
【００２０】
この場合には、第２の剥離面の剥離性能は、該開口に向かって変化し、粗さが増大する。該装置がユーザの皮膚の上を動かされ、該空洞に減圧がかけられると、皮膚は該減圧がかけられる開口に向かって引っ張られることとなる。これにより、皮膚が処置ヘッド先端と接触すると、皮膚の一部において剥離動作が一定のレベルで開始され、皮膚の該一部が該空洞の内壁に接触すると、該動作が増強される。剥離効果は、内壁の粗さが最高となる該開口を皮膚の該一部が通過するまで、更に増大する。皮膚の該一部は続いで、減少する粗さ及び平滑化する体感にさらされ、処置ヘッド先端において特定のレベルの剥離性能で終わる。このことは、皮膚の該一部を楽にし、皮膚の刺激の可能性を低減させる。
【００２１】
本発明の更に他の実施例によれば、前記第２の剥離面の粗さは、前記第１の剥離面よりも低い。
【００２２】
本発明の更なる実施例によれば、前記第１の剥離面は、前記第２の剥離面を横切るよう配置される。
【００２３】
第２の剥離面は斯くして、第１の剥離面に向かう角度に配置される。ここで「横切る（transverse）」なる語は、非平行であって、必ずしも「垂直」であると理解されるべきではない。第１の剥離面は好適には、処置ヘッド先端の平面上に配置され、処置ヘッド先端がユーザの皮膚の上に置かれたときに、第１の剥離面がユーザの皮膚と永続的に接触するようにされる。第２の剥離面は、第１の剥離面に対して或る角度で（非平行に）配置され、皮膚が空洞内における減圧により変位させられ、第１の剥離面と第２の剥離面との間の角度に対応する傾斜を持つ皮膚のドームを形成させられるときにのみ、ユーザの皮膚が第２の剥離面と接触するようにされる。このようにして、第２の剥離面の利用が、空洞にかけられる減圧の量により容易に制御されることができる。それ故、第１の剥離面と第２の剥離面とは、０°よりも大きく１８０°よりも小さい範囲から選択された、特に４５°乃至１７５°の範囲から選択された、とりわけ約９０°のような７５°乃至１３５°の範囲から選択された、相互の角度（特に開口軸をも含む平面において（以下も参照））を持っても良い。前記第１の剥離面から前記第２の剥離面への遷移は、湾曲していても良く、端部を含んでいても良い。実施例においては、前記第１の剥離面は略平面であり、前記第２の剥離面は略平面であっても良いし、又は湾曲していても良い。前記第２の剥離面が湾曲している場合、第２の剥離面を有する領域の少なくとも５０％といった、少なくとも２５％のような第２の剥離面の少なくとも一部は、第１の剥離面に対する前記相互の角度を持って構成されても良い。
【００２４】
本発明の更なる実施例によれば、前記開口は開口軸を定義し、前記第１の剥離面と前記第２の剥離面とは、前記開口軸のまわりに同軸に配置される。
【００２５】
斯くして該開口は、剥離面の中心を定義し、該開口軸は、空洞内に減圧がかけられたときにユーザの皮膚が引き込まれる方向を定義する。それ故、該同軸の構成は、該装置がユーザの皮膚の上を一定の速度で動かされたときに、皮膚が第１及び第２の剥離面に略等しい量だけさらされるようにする。このようにして、第１及び第２の剥離面による均一な剥離が実現され得る。
【００２６】
本発明の更なる実施例によれば、前記第２の剥離面は、前記第１の剥離面よりも、前記開口軸の近くに配置される。
【００２７】
前記第２の剥離面は斯くして、該開口の近くに配置され、それ故更に空洞内に配置される。該空洞に引き込まれる皮膚の量は、該空洞にかけられる減圧の量及び弾性のような皮膚特性に依存するため、皮膚は一般的に、最初に該開口から離れた剥離面と接触し、その後にのみ、該開口の近くに配置された剥離面と接触する。この構成により、剥離面に対してユーザの皮膚をさらすことが、単に空洞内の減圧を調節することにより、容易に制御されることができる。斯くして第２の剥離面による剥離は任意であるが、常に第１の剥離面により皮膚が処置された後に生じる。
【００２８】
本発明の更なる実施例によれば、前記処置ヘッド先端と前記空洞とは、単一の一体的な構成要素を形成するよう構成される。
【００２９】
一体的な構成要素として、処置ヘッド先端と空洞とは、単一の部品として製造されても良く、該装置に単に差し込まれるか又はねじ式に装着されても良い。該一体的な構成要素は好適には使い捨てであり、処置ヘッド先端及び空洞が、例えば剥離面の剥離性能が剥離材料を詰まらせる皮膚細胞によって減少したときのような、一定回数の使用の後に交換され得るようにされる。斯かる使い捨ての構成要素の更なる利点は、改善された衛生面である。更に、それぞれが異なる剥離特性を持つ異なる第１及び第２の剥離面を持つ、斯かるタイプの複数の一体的な構成要素が、該装置とともに提供されることも想到可能である。
【００３０】
本発明の更なる実施例によれば、前記空洞は、環状の周囲部を持つ略ドーム状の形状を持ち、前記処置ヘッド先端は、前記環状の周囲部により形成され、前記内壁は、前記ドーム状の形状の内側面により形成される。
【００３１】
本実施例においては、処置ヘッド先端は、好適には該空洞の周りに延在し、第１の剥離面が配置される環状の面として、該空洞の端の周りに形成される。斯くして第１の剥離面は好適には、該装置の一方の側における平坦な面上に配置され、第２の剥離面は、該装置へと延在する該ドーム状の形状の内壁に配置される。斯くして、該装置がユーザの皮膚の上において処置ヘッド先端による処置のために置かれたとき、好適にも第１の剥離面のみが皮膚に接触する。減圧がかけられている場合にのみ、皮膚は該空洞のなかに引き込まれ、それにより該ドーム状の形状へと均一に合致する皮膚のドームを形成する。斯くして該均一なドーム状の形状は、引き込まれた皮膚が第２の剥離面に均一に接触することを可能とする。それ故、実施例においては、第１の剥離面は、第２の剥離面の略外周を囲み得る。
【００３２】
更に、処置ヘッド先端が空洞の周りに環状に配置されるため、第１の剥離面は、該装置がユーザの皮膚の上を動かされる方向にかかわらず、常に皮膚に最初に接触する。これに加えて、皮膚の一部の処置は、常に第１の剥離面による処置で終わり、第２の剥離面が高い剥離レベルを持つか又はユーザの皮膚の角質層まで穴を開けさえする場合に、皮膚の緩和を可能とする。
【００３３】
本発明の更なる実施例によれば、前記第２の剥離面は、それぞれが異なる剥離特性を持つ複数の隣接する部分に分割される。
【００３４】
本実施例においては、第２の剥離面が、異なる剥離特性の複数の部分を有する。このため、第２の剥離面の異なる領域は、異なる粒子の鋭さを持つ鋭い粒子のような、異なる剥離材料によりカバーされても良い。代替としては、全ての部分が同一の剥離材料によりカバーされるが、該剥離材料の鋭さを低減させる異なる充填材料又は異なる量の斯かる充填材料により処置されている。好適には、これら部分は、前記空洞に異なるレベルの減圧をかけることにより、特定の部分のみがユーザの皮膚と接触できるように配置される。このようにして、単一の処置における異なる剥離レベルによる皮膚の選択された処置が利用可能となり、該剥離レベルはかけられる減圧のレベルによって容易に制御されることができる。「隣接する部分」なる語は、これら部分が互いに直接に隣接／近接して配置されること（このことは好適ではあるが）を必ずしも意味しないことは、留意されるべきである。「隣接する部分」は、間に（小さな）間隙が生じるような、これら部分の隣接する配置も含む。第２の剥離面の粗さが、開口軸に対する距離が小さくなるにつれて、連続的に増大又は減少することも可能である。従って最後に言及された実施例においては、隣接する部分は非常に小さくなる。
【００３５】
本発明の更なる実施例によれば、前記第２の剥離面は、前記第２の剥離面から突出する鋭いオブジェクトを有する。
【００３６】
前記鋭いオブジェクトは、単独で配置されても良いし、又は第２の剥離面における他の剥離材料と共に配置されても良い。第２の剥離面及び該鋭いオブジェクトがユーザの皮膚と接触するよう十分な減圧が前記空洞にかけられると、該鋭いオブジェクトは、ユーザの皮膚の上端の剥離に加え、角質層をも通り進入し得る。このようにして、微小皮膚剥離処置の前後に皮膚に塗布されたトピカル又はローションが、この穴を通して表皮のより深い層まで進入することができ、それ故更にトピカルの処置の効果を改善する。好適には、該鋭いオブジェクトは、前記開口の近くに配置され、該鋭いオブジェクトが効果的となるためには高い減圧がかけられる必要があるようにする。
【００３７】
更に好適な実施例においては、前記鋭いオブジェクトは、前記面から突出し、５乃至２５μｍの長さを持つ。
【００３８】
該鋭いオブジェクトは、２乃至３００μｍ、５乃至８０μｍ、５乃至２５μｍ又は１２０乃至２００μｍといった、１乃至１０００μｍの範囲内の平均寸法（例えば長さ）を持つ、粒子状材料のような、剥離構成を有しても良い。微視的な剥離は例えば、炭化ケイ素粒子のような炭化ケイ素構造、及び金属窒化物粒子のような金属窒化物構造から成る群から選択されても良い。代替として、又はこれに加えて、剥離構造は例えば、酸化アルミニウム粒子及び酸化アルミニウム構造のような、金属酸化物構造から成る群から選択されても良い。剥離構造の更なる選択肢は例えば、ダイアモンド構造、窒化ホウ素構造、炭化ケイ素構造、ガラスビーズ、鋼粒構造、その他の金属粒構造、酸化ジルコニウム構造、及び石英構造から成る群から選択されても良い。化学組成及び／又は寸法の両方において、異なる種類の剥離構造の組み合わせが利用されても良い。
【００３９】
該鋭いオブジェクトの特定の寸法は、角質層のみが該鋭いオブジェクトにより穿孔され得、その一方で顆粒層、有棘層又は基底層といった表皮のより深い層は影響を受けないままとなるという利点を持つ。このようにして、ユーザの皮膚の意図しない損傷が有利に回避され得る。
【００４０】
本発明の更なる実施例によれば、前記装置は更に、前記開口に接続された真空源を有する。
【００４１】
該開口に接続された真空源は、該装置から別個の、該装置に接続可能な、スタンドアロン型のユニットであっても良い。しかしながら、該真空源は、該装置に直接に内蔵されていても良い。後者の場合のため、該装置は更に、好適には例えば誘導を介して無線の態様で再充電可能な、再充電可能なバッテリの形を好適にはとる、電源を有しても良い。スタンドアロン型の真空源の場合には、該開口に該真空源を接続して吸引経路を提供する管が備えられても良い。
【００４２】
該真空源は、処置ヘッド先端がユーザの皮膚に当てられたときに、皮膚が前記開口に向かって前記空洞へと引き込まれるように、該空洞内に減圧を提供するよう構成される。該空洞内において、皮膚が第２の剥離面にさらされる。該真空源は、少なくとも２つの異なる減圧レベルを提供しても良い。第１の減圧レベルは、スイッチオフされた真空源により定義され、第２の減圧レベルは、最大のパワーで動作する真空源により定義されても良い。好適には、該真空源は、更なる減圧レベルを提供するように構成され、各減圧レベルが、第２の剥離面と組み合わせた異なる剥離強度をもたらしても良い。該真空源が、該空洞内において大きく調節可能な減圧を提供しても良い。
【００４３】
これに加えて、前記減圧レベルは代替として、意図的な漏れを可能とする吸引経路に沿って配置された弁システムにより決定されても良く、これにより、一定の真空源を用いて、異なる減圧レベルが実現可能となる。斯かる弁システムは、処置ヘッド内に配置されても良く、交番する減圧を定吸収する空気式振動子として構成されても良い。
【００４４】
本発明の更なる実施例によれば、前記装置は、前記空洞内に交番する減圧を供給するよう前記真空源を制御するよう構成されたコントローラを有する。
【００４５】
該コントローラは、好適には真空源の電源を制御することにより、該空洞内の減圧を自動的に調節する。該コントローラによって、少なくとも２つの異なる減圧レベルが設定されても良い。第１の減圧レベルにおいては、皮膚が第１の剥離面にのみさらされ、第２のレベルにおいては、皮膚が更に第２の剥離面にさらされる。該コントローラは、これら少なくとも２つのレベルの間で交番させ、非常に強い処置を局所的に可能とする、分画された剥離が実現されるようにする。
【００４６】
それ故、実施例においては、該コントローラは、該真空源を制御するように、特に（該装置が皮膚に当てられたときに）前記空洞内の減圧を制御するように構成される。更に他の特定の実施例においては、該コントローラは、非常に強い処置を局所的に可能とする分画された剥離が実現されるよう、これら少なくとも２つのレベルの間で交番させるよう構成されても良い。更に、該装置は、ユーザインタフェースを含んでも良い。特に、該ユーザインタフェースは、ユーザが該真空源を制御することを可能とするよう構成されても良い。例えば、該ユーザインタフェースは、第１の減圧レベル及び／又は第２の減圧レベルのレベルを制御するために用いられても良い。該コントローラは、例えば段階状の制御可能な減圧のような、複数の減圧で該真空源を制御するよう構成されても良い。
【００４７】
特に、該装置は、特に１５乃至６０ｋＰａ、２０乃至４０ｋＰａのような、５乃至８０ｋＰａの範囲内の負圧（「減圧」）を提供するよう構成されても良い。このことは特に、皮膚が処置ヘッドと接触し、前記空洞を閉じたときに、該装置が、大気圧よりも１５乃至６０ｋＰａ低い範囲内の圧力を提供することができることを意味する。それ故、減圧なる語は特に、皮膚が処置ヘッドと接触したときに、真空源の吸引によって該空洞に少なくとも部分的に皮膚が吸い込まれ、周囲の圧力に対する該空洞における減圧をもたらすことを示し得る。
【００４８】
特に、チャネル開口（チャネル縁部を備える）が、適切な真空領域が得られるように構成される。特に、該チャネル縁部は、１０乃至２００ｍｍ２、４５乃至７５ｍｍ２、特に５０乃至７５ｍｍ２といった、１０乃至４００ｍｍ２の範囲内の真空領域を持つ（又は提供する）。当該真空領域は特に、該チャネル縁部により囲まれた領域である。該領域はまた特に、入口領域の（断面）領域である。
【００４９】
本発明の更なる実施例によれば、前記内壁は柔軟部分を有する。
【００５０】
本実施例においては、該内壁は、少なくとも部分的に柔軟な部分により形成される。該柔軟部分は、前記空洞に対する減圧の生成時に、該空洞に向けて内向きに動くことが可能である。ユーザの皮膚の上における処置ヘッド先端の移動の間、減圧がかけられると、該内壁の柔軟部分は、ユーザの皮膚に向けて内向きに引かれ、斯くして剥離粒子の皮膚への進入を増大させる。該剥離粒子は、角質層に進入して、皮膚のより深い層へのトピカルの好適な進入を可能とする。
【００５１】
本発明の更なる実施例によれば、前記第２の剥離面は、前記柔軟部分に配置される。
【００５２】
本実施例においては、第２の剥離面は、前記内壁の柔軟部分に配置される。前記空洞に供給された減圧によって該柔軟部分がユーザの皮膚に向けて内向きに動くと、該第２の剥離面が皮膚と接触する。該柔軟部分は、特定の減圧レベルが設定されたときにのみ内向きに動くよう構成されても良く、このことは第２の剥離面の利用に対する非常に精密な制御を可能とする。更に、斯かるアセンブリは、減圧がかけられていない期間の間、ユーザの皮膚から十分に離れた距離において第２の剥離面が配置されることを可能とし、それにより第２の剥離面による意図しない望まない剥離が防止され得る。同時に、減圧が該空洞にかけられているときには、第２の剥離面による所望の剥離が実現されるよう、該柔軟部分が皮膚に対して迅速に且つ強く動き得る。
【００５３】
本発明においては、処置ヘッドは特に固定されている。それ故、該装置は特に実施例においては、該装置の残りの部分に対して処置ヘッドを動かす（例えば開口軸のまわりの回転運動）ようには構成されない。
【００５４】
本発明のこれらの及び他の態様は、以下に説明される実施例を参照しながら説明され明らかとなるであろう。
【図面の簡単な説明】
【００５５】
【図１】本発明による微小皮膚剥離処置のための装置の第１の実施例を斜視図で示す。
【図２】本発明による微小皮膚剥離処置のための装置の第２の実施例を示す。
【図３】剥離面の構成の例を示す。
【図４】本発明による微小皮膚剥離処置のための装置の第３の実施例を示す。
【図５】本発明による微小皮膚剥離処置のための装置の第４の実施例を示す。
【図６】本発明による装置の利用のパターンを模式的に示す。
【図７】本発明による装置により処置されたユーザの皮膚を模式的に示す。
【発明を実施するための形態】
【００５６】
図１は、本発明によるユーザの皮膚の微小皮膚剥離処置のための装置の第１の実施例の斜視図を示す。該装置は、全体が参照番号１０により示される。
【００５７】
該装置は、微小皮膚剥離処置の間に装置１０を保持するためのハンドル部１４と、ハンドル部１４に装着された処置ヘッド１６と、を備えた長細の本体１２を有する。処置ヘッド１６は、ユーザの皮膚の上端層の上を動かされたときに、ユーザの皮膚の上端層を剥離するよう構成される。処置ヘッド１６は、内壁２０と共に好適には処置ヘッド１６の基本的に平坦な前面内に均一な窪みを形成する、空洞１８を有する。更に、ピット状の空洞１８の底部には、該装置への貫通穴の形をとる開口２２が組み込まれる。処置ヘッド１６は更に、空洞１８の端のまわりに環状に配置された、処置ヘッド先端２４を有する。処置ヘッド先端２４は、微小皮膚剥離処置を開始するためユーザの皮膚に当てられる、該装置の一部である。
【００５８】
処置ヘッド先端２４は好適には、空洞１８の周囲の縁部を形成する平坦な環として設計される。処置ヘッド先端２４の縁部には、処置ヘッド先端２４がユーザの皮膚上に置かれたときにユーザの皮膚に面する、第１の剥離面２６が配置される。空洞１８内には、内壁２０の少なくとも一部をカバーする、第２の剥離面２８が配置される。第１の剥離面２６は基本的に、平坦な面上に配置され、第２の剥離面２８は、空洞１８の凹状の形状により定義される湾曲した面に配置される。いずれの剥離面２６、２８も、例えば硬質の鉱物又は合成石のような剥離材料により被覆され、ユーザの皮膚に押し付けられ該皮膚上を動かされたときに皮膚の層、特に死滅した皮膚の細胞を剥離するよう構成される。好適には、処置ヘッド先端２４及び空洞１８は、処置ヘッド１６のハンドル部１４に着脱可能に又は固定的に接続された一体的な構成要素を形成する。
【００５９】
空洞１８内の開口２２は、真空源３０に接続されるよう構成され、該真空源３０は、不完全真空を背後に残すよう封止された空間から気体、特に空気を除去するよう構成されたいずれの装置であっても良い。当該好適な実施例においては、真空源３０は、ここでは破線のブロックにより示されるように、装置１０の本体１２に内蔵される。他の実施例においては、真空源は、該装置の入口に接続可能なスタンドアロン型のユニットとして、別個に備えられても良い。内蔵された真空源３０、又は代替として該入口は、吸引経路３２を介して開口２２に接続され、処置ヘッド先端２４がユーザの皮膚の上に置かれたときに、空洞１８内から空気を抽出し、空洞１８と処置ヘッド先端２４とユーザの皮膚とにより形成される空間３４内に減圧を生成する。
【００６０】
装置１０は更に、外部に備えられたものであっても良いし又はバッテリパックの形で内蔵されたものであっても良い電源３６と、開口２２を通して該装置に吸い込まれる剥離された皮膚粒子を集めるための、吸引経路３２に沿って配置されたフィルタ又は着脱可能な槽４０と共に、真空源３０を制御するための、コントローラ３８と、を有しても良い。コントローラ３８、該フィルタ及び槽４０は、該装置の外部に配置されても良く、これにより該装置が基本的に、一体的な構成要素として形成された、ハンドル部１４、処置ヘッド１６、及び空洞１８を備えた処置ヘッド先端２４のみを有するようにしても良い。しかしながら、再充電可能な電源及び着脱可能な拡張材料のための構成要素を備えた防水の筐体のなかにある、完全に一体化された装置が好適である。
【００６１】
更に、装置１０は、ここではハンドル部１４に配置された電源オンボタン４２及び制御スイッチ４４により示されたユーザインタフェースを有しても良い。電源オンボタン４２により、真空源３０が起動させられて空洞１８内に減圧を生成する一方、制御スイッチ４４は、種々の減圧レベルを設定するために用いられても良い。制御スイッチ４４は好適には、例えば電源３６を調整することにより、真空源３０の体積流量を制御するよう構成された、コントローラ３８に接続される。
【００６２】
装置１０の要点のひとつは、第１及び第２の剥離面２６、２８の配置及び構成である。第２の剥離面２８を空洞１６のなかに配置し、基本的に第１の剥離面２６に対して横方向に配置することにより、面２６及び２８が一般的に同時にはユーザの皮膚に接触しないようにされ得る。実際には、第２の剥離面２８は、減圧が空洞１８にかけられたときにのみ、ユーザの皮膚に接触し得る。更に、第１及び第２の剥離面２６、２８は、異なる剥離レベルを提供するよう、異なる粗さを持って構成される。換言すれば、第１及び第２の剥離面２６、２８により剥離される皮膚の量、ユーザの皮膚が剥離される態様は、第１の剥離面２６と第２の剥離面２８とで異なる。
【００６３】
それ故、本発明による微小皮膚剥離処置は、異なる剥離レベルによる剥離を部分的に実現する。装置１０がユーザの皮膚の表面上を動かされると、最初に、該皮膚は第１の剥離面２６により剥離され、これに加えて、異なる剥離能力、好適には更に強い剥離能力を持つ第２の剥離面２８により剥離される。これにより、第２の剥離面２８を利用することは任意となり、ユーザの皮膚にかけられる減圧のレベルによって制御されることができる。
【００６４】
減圧の機能は多様である。一方では減圧は、皮膚の上に空気流をつくり、装置１０内でばらばらになった粒子をフィルタ又は容器４０に集めることを支援する。該空気流は、処置ヘッド先端における小さな穴により、又はユーザの皮膚から少し該装置を持ち上げることにより、つくり出されても良い。他方では減圧は、皮膚内の血液循環を改善するよう、ユーザの皮膚の真空マッサージを提供する。これに加えて、本発明によれば、減圧は更に、空洞１８へと皮膚を引き込み、皮膚を該空洞内に配置された第２の剥離面２８へと当てることにより、剥離レベルを制御する。換言すれば、減圧がかけられずに処置ヘッド先端２４がユーザの皮膚の上を動かされる場合には、第１の剥離面２６のみが皮膚と接触し、上端層を剥離する。減圧がかけられると、皮膚は更に第２の剥離面２８により処置され、更なる、好適にはより強い、上端層の剥離をもたらす。
【００６５】
図２は、微小皮膚剥離処置のための装置１０の第２の実施例を、断面模式図で示す。装置１０は基本的には、図１に示された実施例と同様であるが、ここでは簡単さのため本体の残りを伴わずに示された処置ヘッド１６の構成が異なる。更に、処置ヘッド１６はここでは、微小皮膚剥離処置の３つの異なる段階Ａ、Ｂ、Ｃで示されている。
【００６６】
空洞１８と処置ヘッド先端２４とは、一体的な構成要素４６へと組み合わせられ、第１及び第２の剥離面２６、２８が隣接して配置された連続的な表面を提供する。処置ヘッド先端２４は、ユーザの皮膚の表面に少なくとも一部が平行に配置され、第１の剥離面２６を有する、前面５２を有する。皮膚はここでは参照番号４８により示され、皮膚の上端層、即ち角質層が参照番号５０により示される。
【００６７】
前面５２は、空洞１８の内壁２０へと平滑な湾曲で徐々に遷移し、空洞１８は、窪み状の形状を持ち、該窪み状の形状は、該窪みの底部に配置された開口２２を備える。開口２２は、開口軸５４を定義し、好適には空洞１８の中央に配置され、内壁２０と、処置ヘッド先端２４の前面５２とが、開口軸５４のまわりに同軸に配置されるようにする。処置ヘッド先端２４が皮膚４８に当てられると、空洞１８は、処置ヘッド先端２４により環状に封止され、皮膚４８の上において鐘状に配置される。皮膚４８及び空洞１８により形成された封止された空間３４に対して、真空源３０により、開口２２を通して減圧がかけられることができる。封止された空間３４における減圧は、空洞１８の下に位置する弾力的な皮膚４８の部分が、開口２２の方向に向けて引き込まれるようにし、ここでは参照番号５６により示された皮膚のドームを形成する。封止された空間３４に更なる減圧がかけられると（即ち真空度が高くなると）、皮膚のドーム５６のサイズは増大する。
【００６８】
図２の上図（Ａ）においては、空間３４に減圧はかけられておらず、皮膚４８は、処置ヘッド先端２４が皮膚に押し付けられる圧力によって主に引き起こされる、小さな皮膚のドーム４６のみを形成する。斯かる配置においては、皮膚４８は第１の剥離面２６とのみ接触し、第２の剥離面２８とは未だ接触しない。
【００６９】
図２の中図（Ｂ）においては、幾分かの減圧がかけられている。減圧レベルは、ここでは矢印５８の太さにより示される。より大きな皮膚のドーム５６が形成され、皮膚４８は第２の剥離面２８の少なくとも幾分かの部分に更にさらされる。
【００７０】
図２の下図（Ｃ）においては、最大限の減圧がかけられ、可能な限りの皮膚４８が空洞１８へと引き込まれる。これにより皮膚４８は、最高の剥離レベルのため、第１の剥離面２６と、第２の剥離面２８の全面とにより接触される。
【００７１】
第２の実施例の要点は、ここでは連続的ではあるが不均一な層として備えられた第１及び第２の剥離面２６、２８の構成である。特に、第２の剥離面２８の粗さは、好適には第１の剥離面２６と第２の剥離面２８との間の端部６０における低剥離性から始まり、開口２２に向けて高剥離性まで増大する。換言すれば、第１及び第２の剥離面２６、２８は、開口２２の方向に増大する剥離性能の勾配をもたらす。開口２２の近くでは、剥離面の粗さが処置ヘッド先端２４に対する端部よりも高い。このようにして、本実施例においては、空洞１８における減圧レベル５８の変化が、第２の剥離面２８の変化する剥離レベルと組み合わせて用いられ、局所的に高い剥離レベルが利用され得るような剥離のきめ細かな制御を実現しても良い。
【００７２】
図２に示されるような剥離面の剥離性能における勾配は、複数の方法で実現され得る。図３は、剥離性能における勾配を伴う、剥離面の２つの構成の例Ａ及びＢを示す。図３の第１の例Ａは、それぞれが異なる鋭さを持つ例えば硬質の鉱物又は合成石のような粒子６４により被覆された、種々の部分６２を持つ剥離面を示す。増大する剥離レベルを実現するため、隣接する各部分は、増大する鋭さを持つ粒子を有する。
【００７３】
図３の第２の例Ｂは、例えば同様の鋭さの粒子の層により、均一な剥離材料から形成された、剥離面を示す。代替として、該剥離面は、該面から突出し、互いに平行に配置されて、均一な剥離性の層を形成する、尖った微小針６６を有する。均一な層は、特定の領域において該均一な層の鋭さを低減させるための充填材料６８により部分的に満たされる。該充填材料は、粒子６４の鋭い端、又は微小針６６間の間隙を満たし、これによりこれらの鋭さを低減させる。好適には、剥離面に塗布される充填材料６８の量は、該剥離面の一方の側から他方の側へと徐々に減少させられる。このようにして、ここで参照番号７０により示されるような一方向における面の剥離性能の連続的な増大が実現される。左側では、微小針６６はほぼ完全に充填材料６８によりカバーされ、そのため低い剥離能力のみがもたらされるが、右側では、微小針６６は基本的に充填材料６８には全くカバーされず、従って微小針６６が元来の鋭さを提供する。
【００７４】
図４は、微小皮膚剥離処置のための装置の第３の実施例を、断面模式図で示す。装置１０は基本的には、図１及び２に示された実施例と同様であり、ここでもまた処置ヘッド１６の構成が異なる。該構成の残りの部分は、第１及び第２の実施例により図示され説明されたものと同じままである。
【００７５】
図４は、処置ヘッド２４及び空洞１８の内壁２０に配置された異なる剥離面２６、２８を示す。特に、第２の剥離面２８は本実施例においては、内壁２０の表面から突出する小さな槍先のような鋭いオブジェクト７２を有する。鋭いオブジェクト７２は、例えば鋭い尖った粒子、成長結晶、又は小さな微小針であり、皮膚４８に押し付けられたときに、角質層５０を貫通して切るよう構成される。換言すれば、鋭いオブジェクト７２は、角質層５０を穿孔し、角質層５０において小さな孔７４を局所的に生成する。
【００７６】
図４は、図２と同様に、微小皮膚剥離処置の３つの異なる段階Ａ、Ｂ、Ｃを示す。処置ヘッド１６の機能は、基本的に同じままである。空洞１８に減圧５８がかけられると（Ｂ）、皮膚のドーム５６が形成され、空洞１８へと引き込まれ、ここでは鋭いオブジェクト７２を有する第２の剥離面２８へと押し付けられる。鋭いオブジェクト７２は、皮膚４８を切り、背後の角質層５０に小さな孔７４をもたらし、皮膚４８のより深い層へのトピカルの進入を増大させる。減圧５８が低減させられると（Ｃ）、皮膚のドーム５６は解放され、皮膚４８が元の位置に戻る。同時に、処置ヘッド１６が、ここでは参照番号７６により示されるように皮膚４８の表面に沿って更に動かされ、それにより、処置ヘッド先端２４の前面５２に配置された第１の剥離面２６の助力により、皮膚の上端層を一定に除去する。皮膚４８の別の部分において、該工程が繰り返され、減圧５８が再び増大させられて、別の位置において角質層５０に更なる孔７４を切って形成しても良い。
【００７７】
孔７４の量及び長さは並びにカバー範囲は、鋭いオブジェクト７２の量、サイズ及び鋭さ、減圧バーストの継続時間、並びに動き速度７６により決定される。
【００７８】
図５は、微小皮膚剥離処置のための装置の第４の実施例を、断面模式図で示す。該装置は基本的には、前述した実施例と同様であり、ここでもまた処置ヘッド１６の構成が異なり、該構成の残りの部分は基本的に、以上に図示され説明されたものと同じままである。
【００７９】
図５は、処置ヘッド１６を示し、ここでは空洞１８の内壁２０が、柔軟部分７８を有する。好適には、柔軟部分７８は、開口２２のまわりに同軸に配置された柔軟な膜を有し、開口２２はそれ自体が、柔軟部分７８に組み込まれても良い。柔軟部分７８の表面上には、第２の剥離面２８が配置され、本実施例においては第２の剥離面２８は、図４を参照しながら詳細に説明されたような鋭いオブジェクト７２を有する。鋭いオブジェクト７２は、皮膚４８に押し付けられたときに、角質層５０を穿孔するよう構成される。
【００８０】
前述のものと同様に、図５においても、微小皮膚剥離処置の３つの異なる段階Ａ、Ｂ、Ｃが示される。減圧５８が空洞１８にかけられていないときには（Ａ）、柔軟な膜７８は、当初の鐘状の形のままである。この形状の場合には、柔軟な膜７８及び該膜上に配置された第２の剥離面２８は、皮膚４８とは接触しない。好適には、該柔軟な膜の初期形状、及び空洞１８の寸法は、処置ヘッド先端２４が皮膚４８に通常に置かれたときには、皮膚４８が第２の剥離面２８と接触することが物理的に不可能となるよう構成される。
【００８１】
減圧５８が空洞１８にかけられると（Ｂ）、柔軟な膜７８が内向きに曲がり、第２の剥離面２８を皮膚４８に押し付ける。これにより、図４を参照しながら以上に説明されたものと同様な態様で、角質層５０が穿孔される。減圧が低減された後（Ｃ）、柔軟な膜７８は初期形状に戻り、これにより鋭いオブジェクト７２を皮膚４８から後退させる。
【００８２】
柔軟な膜７８は、穿孔を更に容易化するよう構成されても良い。このため、柔軟な膜７８は、初期形状に加え、減圧５８がかけられているときに膜が引っ張られる更なる定常状態を有する。これにより、膜７８の内側の張力により、穿孔が有利にも増強される。
【００８３】
言うまでもなく、該第４の実施例によれば、減圧５８がかけられている場合、開口２２は柔軟部分７８と共に動き得る。それ故、吸引経路３２は、必要であれば開口２２と共に動く開口２２に接続された柔軟な管８０を有しても良い。
【００８４】
図６及び７を参照しながら、以上の実施例のいずれかを用いた好適な皮膚処置が説明される。このことは、交番する態様で空洞１８に減圧をかけることにより実現され、デューティサイクルは好適にはユーザにより調節可能である。
【００８５】
図６は、本発明による装置の利用の模式的なパターンを示す。特に、図６は、左側においては、該装置に装着された真空源の３つの異なる期間及びデューティサイクル８２を示し、右側においては、これにより形成される、結果的な穿孔パターンを示す。
【００８６】
最上段においては、かけられる減圧の長い交番期間を持つ高いデューティサイクル８２が示されている。斯かるデューティサイクル及び期間は、ユーザの皮膚において長い孔７４による大きなカバー領域をもたらす。中段においては、かけられる減圧の短い交番期間を持つ短いデューティサイクル８２'が示されている。斯かるデューティサイクル及び期間は、ユーザの皮膚において短い孔７４'による小さなカバー領域をもたらす。最後に、下段においては、短い交番期間の高いデューティサイクル８２''が示されている。斯かるデューティサイクル及び期間は、ユーザの皮膚において短い孔７４'' による大きなカバー領域をもたらす。
【００８７】
言うまでもないが、カバー領域は、該装置がユーザの皮膚の上を動かされる速度にも依存する。以上の例においては、等しい一定速度が仮定されている。
【００８８】
図７は、本発明による装置により処置されたユーザの皮膚を模式的に示す。特に、図７は、本発明による装置による微小皮膚剥離処置により実現される３つの異なる効果（Ｉ、II、III）を示す。
【００８９】
第１の効果Ｉは、皮膚の上端層の薄い剥離である。これにより、少量の角質層５０の身が剥離される。斯かる剥離は、該装置の処置ヘッド先端２４に配置された第１の剥離面２６により実現されても良い。第２の効果IIは、角質層５０の中程度の剥離である。このことは、皮膚４８に対して第２の剥離面２８の高い剥離性を更に適用し、これにより角質層５０の更なる層を剥離することにより実現されても良い。最後に、効果IIIは、第１の剥離面２６により実現される薄い剥離と組み合わせられた、皮膚に対して第２の剥離面２８を強く適用することにより実現される角質層５０を貫通する非常に短いが深い孔を示す。
【００９０】
対応する図において示された４つの実施例はいずれも、単一のセッションで単一の装置により、異なる剥離レベルで微小皮膚剥離処置を提供するという、同じ本発明の概念を共有する。このため、該装置は第１及び第２の剥離面２６、２８を有し、第１の剥離面２６の粗さは第２の剥離面２８とは異なる。４つの実施例は、第１及び第２の剥離面２６、２８を有する処置ヘッド１６の構成においてのみ異なる。
【００９１】
本発明は図面及び以上の記述において説明され記載されたが、斯かる説明及び記載は説明するもの又は例示的なものであって限定するものではないとみなされるべきであり、本発明は開示された実施例に限定されるものではない。図面、説明及び添付される請求項を読むことにより、請求される本発明を実施化する当業者によって、開示された実施例に対する他の変形が理解され実行され得る。
【００９２】
請求項において、「有する（comprising）」なる語は他の要素又はステップを除外するものではなく、「１つの（a又はan）」なる不定冠詞は複数を除外するものではない。「有する」なる語は、実施例においては「から成る（consisting of）」を示し得るが、例えばの実施例においては、「少なくとも定義された種類及び任意に１つ以上の他の種類を含む」も示し得る。「有する」なる語はまた、「有する」なる語が「から成る」を意味する実施例を含む。「及び／又は（and/or）」なる語は、特に「及び／又は」の前後に言及される１つ以上のアイテムに関する。例えば「アイテム１及び／又はアイテム２」なる語句及び同様の語句は、アイテム１及びアイテム２の１つ以上に関し得る。単一のプロセッサ又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。
【００９３】
ここで「略成る」といった「略（substantially）」なる語は、当業者には理解されうであろう。「略」なる語は、「全体的に」、「完全に」、「全て」等の実施例も含み得る。それ故、実施例においては、略なる形容詞は削除されても良い。利用可能な場合には、「略」なる語は、１００％を含む９５％以上、特に９９％以上、更には９９．５％以上のような、９０％以上に関し得る。
【００９４】
更に、明細書及び請求項において第１、第２、第３等の語は、類似する要素を区別するために用いられるものであり、連続の順序又は新旧の順序を必ずしも記述ものではない。斯様に用いられる語は、適切な条件の下で相互に交換可能であり、ここで記載される実施例は、ここで説明又は図示されたものとは異なる順序での動作が可能であることは、理解されるべきである。
【００９５】
ここでの装置は、数あるなかでも、動作の間のものが説明されている。当業者には明らかであるように、本発明は動作の方法又は動作中の装置に限定されるものではない。
【００９６】
上述の実施例は本発明を限定するものではなく説明するものであって、当業者は添付する請求項の範囲から逸脱することなく多くの代替実施例を設計することが可能であろうことは留意されるべきである。請求項において、括弧に挟まれたいずれの参照記号も、請求の範囲を限定するものとして解釈されるべきではない。動詞「有する（comprise）」及びその語形変化の使用は、請求項に記載されたもの以外の要素又はステップの存在を除外するものではない。本発明は、幾つかの別個の要素を有するハードウェアによって、及び適切にプログラムされたコンピュータによって実装されても良い。幾つかの手段を列記した装置請求項において、これら手段の幾つかは同一のハードウェアのアイテムによって実施化されても良い。
【００９７】
本発明は更に、明細書に記載された及び／又は添付図面に示された特徴の１つ以上を有する装置にも適用される。本発明は更に、明細書に記載された及び／又は添付図面に示された特徴の１つ以上を有する方法又は工程に関する。
【００９８】
本明細書において議論される種々の態様は、更なる利点をもたらすために組み合わせられ得る。更に、当業者は、実施例が組み合わせられ得ること、及び２つよりも多い実施例が組み合わせられ得ることを、理解するであろう。更に、特徴の幾つかは、１つ以上の分割出願のための基礎を形成し得る。
【００９９】
請求項におけるいずれの参照記号も、請求の範囲を限定するものとして解釈されるべきではない。
【図１】
0006662883.tif 000002
【図２Ａ】
0006662883.tif 000003
【図２Ｂ】
0006662883.tif 000004
【図２Ｃ】
0006662883.tif 000005
【図３Ａ】
0006662883.tif 000006
【図３Ｂ】
0006662883.tif 000007
【図４Ａ】
0006662883.tif 000008
【図４Ｂ】
0006662883.tif 000009
【図４Ｃ】
0006662883.tif 000010
【図５Ａ】
0006662883.tif 000011
【図５Ｂ】
0006662883.tif 000012
【図５Ｃ】
0006662883.tif 000013
【図６】
0006662883.tif 000014
【図７】
0006662883.tif 000015